(57)【特許請求の範囲】
【請求項１】
非導電性材料からなる容器本体の側壁部の内周面側に、電磁誘導によって発熱する発熱体を備えた誘導加熱調理用容器であって、
発熱体は、電磁誘導で発熱可能な導電性シートの両端部同士が重ね合わせられた筒状であり、
該発熱体の重ね合わせ部には、接着層を介して導電性シート同士が重ね合わせられた接着領域と、接着層を介さずに導電性シート同士が重ね合わせられた接触領域とが存在し、該接触領域において、導電性シートの両端部同士が電気的に接触していることを特徴とする誘導加熱調理用容器。
【請求項２】
容器本体は射出成形により形成され、発熱体はインサート成形により容器本体と一体化されている請求項１記載の誘導加熱調理用容器。
【請求項３】
重ね合わせ部は、導電性シートの一端部内面が他端部外面に重ね合わせられて形成され、該重ね合わせ部の幅方向両端にはそれぞれ接着領域が設けられ、該両接着領域間に接触領域が設けられ、該発熱体が容器内面を構成している請求項２記載の誘導加熱調理用容器。
【請求項４】
非導電性材料からなる容器の側壁部の内周面側に使用されて電磁誘導によって発熱する誘導加熱調理用の発熱体であって、
電磁誘導で発熱可能な導電性シートの両端部同士が重ね合わせられた筒状であり、該重ね合わせ部には、接着層を介して導電性シート同士が重ね合わせられた接着領域と、接着層を介さずに導電性シート同士が重ね合わせられた接触領域とが存在し、該接触領域において、導電性シートの両端部同士が電気的に接触していることを特徴とする誘導加熱調理用の発熱体。
【発明の詳細な説明】
【技術分野】
【０００１】
本発明は、誘導加熱を利用した誘導加熱調理器によって内容物を加熱することができる誘導加熱調理用容器と、該誘導加熱調理用容器に用いられる誘導加熱調理用の発熱体に関する。
【背景技術】
【０００２】
誘導加熱を利用した誘導加熱調理器は、電磁調理器（ＩＨ調理器）とも称され、近年、いろいろな種類のものが提案されている。該誘導加熱調理器によって内容物を加熱するには、それに対応した容器を使用することが必要である。即ち、容器の全体を電磁誘導によって発熱する構成としたり、電磁誘導によって発熱する部分を容器の一部に備えたりすることが必要となる。容器の一部に電磁誘導によって発熱する発熱体を備える構成も種々のものが考えられ、例えば、電磁誘導によって発熱する発熱体を容器の側壁部に備えることがある（下記特許文献１、２）。そして、容器の側壁部に発熱体を備える場合には、下記特許文献２のように筒状の発熱体を容器本体に装着することが考えられる。
【０００３】
ところで、本発明者らは、アルミニウム箔等の導電性シートを帯状にカットし、該帯状の導電性シートの両端部同士を接着剤によって接着して筒状にする方法を試みた。このようにして筒状に形成した発熱体を用いて容器を作製し、作製した容器に内容物を入れて加熱試験を行ったところ、内容物が加熱されない場合があった。
【先行技術文献】
【特許文献】
【０００４】
【特許文献１】実開平２−１５４８７号公報
【特許文献２】特開２００５−１６８６４８号公報
【発明の概要】
【発明が解決しようとする課題】
【０００５】
それゆえに本発明は上記従来の問題点に鑑みてなされ、導電性シートの両端部同士を連結して筒状に形成した発熱体を使用する場合において発熱体が確実に発熱するようにすることを課題とする。
【課題を解決するための手段】
【０００６】
本発明者らは、この課題を解決すべく、発熱体が発熱しないという現象の解明に向けて日々研究を重ねた結果、遂にその原因を突き止めた。即ち、導電性シートの両端部同士が電気的に接触していなければならないという知見を得て、本発明を完成するに至ったものである。
【０００７】
即ち、本発明に係る誘導加熱調理用容器は、非導電性材料からなる容器本体の側壁部の内周面側に、電磁誘導によって発熱する発熱体を備えた誘導加熱調理用容器であって、発熱体は、電磁誘導で発熱可能な導電性シートの両端部同士が重ね合わせられた筒状であり、該発熱体の重ね合わせ部には、接着層を介して導電性シート同士が重ね合わせられた接着領域と、接着層を介さずに導電性シート同士が重ね合わせられた接触領域とが存在し、該接触領域において、導電性シートの両端部同士が電気的に接触していることを特徴とする。
【０００８】
該構成の誘導加熱調理用容器にあっては、筒状に形成された発熱体の重ね合わせ部において導電性シートの両端部同士の電気的な接触が確保されているので、筒状の発熱体が確実に発熱できる。
【０００９】
特に、重ね合わせ部には、接着層を介して導電性シート同士が重ね合わせられた接着領域と、接着層を介さずに導電性シート同士が重ね合わせられた接触領域とが存在しているので、重ね合わせ部における接着領域によって導電性シートの確実な連結状態が確保される。そして、重ね合わせ部における接触領域においては接着層が介在していないので、電気的な接触が確保されることとなる。尚、重ね合わせ部の構成としては、導電性シートの両端部内面同士が重ね合わせられた構成や、導電性シートの一端部内面が他端部外面に重ね合わせられた構成がある。
【００１０】
更に、容器本体は射出成形により形成され、発熱体はインサート成形により容器本体と一体化されていることが好ましい。インサート成形によって発熱体を容器本体に一体化させることにより、容器本体に発熱体を別途装着する必要がない。導電性シートが特に薄い場合には筒状に形成した発熱体を容器本体に装着する工程は容易ではないが、このようにインサート成形によって両者を一体化させることにより製造工程が容易になる。また、発熱体を容器本体に接着させるための接着剤も不要になる。また、重ね合わせ部の段差により、容器本体と発熱体が良好に固定される。しかも、射出成形時の成形圧力が重ね合わせ部の接触領域に作用することで、該接触領域における電気的な接触状態がより一層強固に且つ確実なものになる。
【００１１】
また更に、重ね合わせ部は、導電性シートの一端部内面が他端部外面に重ね合わせられて形成され、該重ね合わせ部の幅方向両端にはそれぞれ接着領域が設けられ、該両接着領域間に接触領域が設けられ、該発熱体が容器内面を構成していることが好ましい。導電性シートの一端部内面を他端部外面に重ね合わせて重ね合わせ部を形成すると、重ね合わせ部を容易に形成することができる。そして、重ね合わせ部の幅方向両端にそれぞれ接着領域が設けられているので、導電性シートの一端部における端縁や他端部における端縁が径方向に折れ曲がって突出したりするということが確実に防止される。更に、幅方向両端の接着領域によってその間に位置する接触領域において電気的な接触状態がより一層確実なものとなる。
【００１２】
また本発明に係る誘導加熱調理用の発熱体は、非導電性材料からなる容器の側壁部の内周面側に使用されて電磁誘導によって発熱する誘導加熱調理用の発熱体であって、電磁誘導で発熱可能な導電性シートの両端部同士が重ね合わせられた筒状であり、該重ね合わせ部には、接着層を介して導電性シート同士が重ね合わせられた接着領域と、接着層を介さずに導電性シート同士が重ね合わせられた接触領域とが存在し、該接触領域において、導電性シートの両端部同士が電気的に接触していることを特徴とする。
【発明の効果】
【００１３】
以上のように、本発明は、筒状に形成された発熱体の重ね合わせ部において電気的な接触が確保されているので、安定した発熱が得られ、内容物を確実に加熱することができる。
【図面の簡単な説明】
【００１４】
【図１】本発明の一実施形態における誘導加熱調理用容器を示す縦断面図。
【図２】（ａ）は図１のＡ部拡大図、（ｂ）は図１のＢ部拡大図。
【図３】同実施形態における誘導加熱調理用容器に用いられる発熱体の製造工程を示す平面図であって、（ａ）は筒状に形成する前の状態を示し、（ｂ）は筒状に形成した状態を示している。
【図４】同実施形態における誘導加熱調理用容器の製造工程を示す要部横断面図であって、（ａ）は樹脂を射出する前の型内部の状態を示し、（ｂ）は樹脂を射出した後の型内部の状態を示している。
【図５】同実施形態における誘導加熱調理用容器を示す要部横断面図。
【図６】（ａ）及び（ｂ）は、本発明の他の実施形態における誘導加熱調理用容器を示す要部横断面図。
【図７】本発明の他の実施形態における誘導加熱調理用容器に用いられる発熱体の製造工程を示す平面図であって、（ａ）は筒状に形成する前の状態を示し、（ｂ）は筒状に形成する際の状態を示している。
【図８】同実施形態における誘導加熱調理用容器を示す要部横断面図。
【図９】本発明の他の実施形態における誘導加熱調理用容器を示す要部横断面図。
【図１０】本発明の他の実施形態における誘導加熱調理用容器に用いられる発熱体の製造工程を示す要部断面図であって、（ａ）は筒状に形成する前の状態を示し、（ｂ）は筒状に形成する際の状態を示している。
【図１１】（ａ）は同実施形態における誘導加熱調理用容器に用いられる発熱体の要部断面図、（ｂ）は（ａ）の発熱体を用いて製造した誘導加熱調理用容器の要部横断面図。
【図１２】本発明の他の実施形態における誘導加熱調理用容器に用いられる発熱体の製造工程を示す要部断面図であって、（ａ）は筒状に形成する前の状態を示し、（ｂ）は筒状に形成する際の状態を示している。
【図１３】本発明の他の実施形態における誘導加熱調理用容器に用いられる発熱体の製造工程を示す要部断面図であって、（ａ）は筒状に形成する前の状態を示し、（ｂ）は筒状に形成する際の状態を示している。
【図１４】本発明の他の実施形態における誘導加熱調理用容器に用いられる発熱体の製造工程を示す要部断面図であって、（ａ）は筒状に形成する前の状態を示し、（ｂ）は筒状に形成する際の状態を示している。
【図１５】（ａ）は同実施形態における誘導加熱調理用容器に用いられる発熱体の要部断面図、（ｂ）は（ａ）の発熱体を用いて製造した誘導加熱調理用容器の要部横断面図。
【発明を実施するための形態】
【００１５】
以下、本発明の一実施形態に係る誘導加熱調理用容器について図１〜図５を参酌しつつ説明する。本実施形態における誘導加熱調理用容器は、有底筒状の容器本体１と、電磁誘導によって発熱する発熱体２とを備えている。
【００１６】
容器本体１は、深底の円筒型のものであって、略平坦な底部１０と、該底部１０から上方に初めはテーパ状に拡径し、段差部１５を介してその後は上方に垂直に延びる側壁部１１と、該側壁部１１の上端部から外方に向けて略水平に延設されたフランジ部１２とを備えている。円盤状の底部１０の周縁部には下方に向けて環状の脚部１３が突設されている。側壁部１１の外周面には、上下方向のリブ１４が放射状に形成されている。該リブ１４は、側壁部１１のうち垂直に延びる径一定領域には設けられず、側壁部１１のうちテーパ状に拡径した拡径領域の全高に亘って形成され、そのまま脚部１３の外周面まで延設されている。リブ１４の突出量は上述の段差部１５と略等しく上下方向に沿って一定であり、従って、リブ１４も側壁部１１の拡径領域と同様に上方に向かって径方向外側に傾斜している。また、側壁部１１の内周面の上下方向略中央部には、環状突起１６が形成されている。
【００１７】
かかる容器本体１は、熱可塑性樹脂から射出成形により形成されたものであり、熱可塑性樹脂としては、例えば、ポリプロピレン、高密度ポリエチレン、ポリエチレンテレフタレート、ポリブチレンテレフタレート、ポリカーボネート、ポリアミド、ポリスチレン等がある。特に、プロピレンエチレン共重合体等のポリプロピレン系樹脂が、軽く適度な機械的強度を有し、比較的安価で成形性も良く、適度な耐熱温度及び熱変形温度を有して、総合的に優れている。容器本体１を合成樹脂から構成すれば、軽いうえに焼却廃棄も比較的容易であるため、使い捨ての容器として好ましい。また、側壁部１１の外側に筒状のシュリンクラベル等のラベルを装着してもよい。
【００１８】
該容器本体１の側壁部１１に発熱体２が設けられている。該発熱体２は、容器本体１の側壁部１１の内周面の形状に合わせて筒状に形成されている。側壁部１１のうちの拡径領域に発熱体２が設けられているので、発熱体２も側壁部１１の拡径領域に合わせて上方に向けてテーパ状に拡径している。より詳細には、発熱体２は、環状突起１６よりも下方に位置し、底部１０よりも所定高さ上方に位置する。このように容器本体１の側壁部１１の上下方向の一部に発熱体２が設けられていることから、側壁部１１には、内側に発熱体２が設けられた領域と発熱体２が設けられていない領域とが存在する。図２に示すように、発熱体２は、その内周面全体が露出しており、この誘導加熱調理用容器の内周面の一部を構成している。発熱体２はその内周面が露出しつつもその厚さの全体が容器本体１の側壁部１１に入り込むように埋設された状態にある。従って、発熱体２の上端面２ａは容器本体１の側壁部１１によって上側から覆われており、発熱体２の下端面２ｂも同様に容器本体１の側壁部１１によって下側から覆われている。即ち、容器本体１の側壁部１１のうち発熱体２が設けられていない領域における内周面と発熱体２の内周面とは略面一となっている。従って、容器本体１の側壁部１１のうち発熱体２が設けられた領域における肉厚は、容器本体１の側壁部１１のうち発熱体２が設けられていない領域における肉厚に比して、発熱体２の厚さの分だけ薄い。但し、容器本体１の側壁部１１のうち発熱体２が設けられた領域の肉厚を外周側に向けて厚肉化することによって、両領域の肉厚を略同じ程度にしてもよい。
【００１９】
該発熱体２は、帯状の導電性シートの長手方向（筒状にしたときの周方向）の両端部同士を連結して筒状に形成したものである。具体的には、導電性シートの一端部内面が他端部外面に接着剤によって貼り合わせられて所定幅の重ね合わせ部２０が形成されている。この導電性シートとしてはアルミニウム箔が好ましく、その厚さは、例えば１０乃至１００μｍ、特に２０乃至５０μｍが好ましい。尚、本実施形態においては、容器本体１の側壁部１１の拡径領域に発熱体２が設けられているので、発熱体２も側壁部１１の拡径領域に合わせて上方に向けてテーパ状に拡径している。従って、帯状の導電性シートは一直線状のものではなく、円弧状に湾曲したもの、即ち、中心部分のないドーナツ形状を所定の中心角で区画した扇形のものを使用して、それを筒状にして発熱体２としている。
【００２０】
該発熱体２の製造方法の概要について説明すると、図３（ａ）のように、導電性シート５０の一端部５１には接着剤を塗布せず他端部５２の片面にのみ接着剤を塗布する。該接着剤としては、例えばレトルトパウチ用のドライラミネート用接着剤が好ましい。接着剤を導電性シート５０の他端部５２の外面に短手方向（即ち上下方向）に沿って筋状に塗布し、また、導電性シート５０の長手方向に間隔をあけて二箇所（二筋）塗布して接着剤層２１を二本形成する。尚、例えばグラビア印刷やフレキソ印刷によって接着剤を塗布すると、接着剤の塗布工程が容易である。二本の接着剤層２１のうち一方の接着剤層２１は、導電性シート５０の端縁に形成し、他方の接着剤層２１は一方の接着剤層２１から所定間隔隔ててそれと平行に形成する。そして、図３（ｂ）のように導電性シート５０の一端部５１の内面を他端部５２の外面に重ね合わせて二箇所の接着剤層２１によって貼り合わせる。二箇所の接着剤層２１の間には接着剤層２１が介在していない領域がある。即ち、重ね合わせ部２０には、接着剤層２１を介して導電性シート５０の一端部５１の内面と他端部５２の外面とが重ね合わせられた二つの接着領域の間に、接着剤層２１を介さずに導電性シート５０の一端部５１の内面と他端部５２の外面とが互いに電気的に接触する接触領域２２が存在する。
【００２１】
このように筒状に形成した発熱体２を金型の内部にインサートする。即ち、図４（ａ）のようにコア３０とキャビティ３１から構成される金型のうち、コア３０の外側に発熱体２を被せる。そして、図４（ｂ）のように、コア３０とキャビティ３１との間の空間に樹脂を射出して固化させて容器本体１を形成する。樹脂を射出する際の成形圧力によって接触領域２２がより一層強固に密着する。また、成形圧力によって導電性シート５０が全周に亘ってコア３０に密着し、重ね合わせ部２０の隣においては導電性シート５０の一端部５１側の内面が他端部５２側の端面５２ａと接触することになる。
【００２２】
このようにして射出成形により形成された誘導加熱調理用容器を金型から取り出す。図５のように、取り出された誘導加熱調理用容器においては、発熱体２が容器本体１に既に密着した状態にある。従って、発熱体２を別途接着剤等によって容器本体１に取り付ける作業は不要である。そして、重ね合わせ部２０における二箇所の接着剤層２１間の接触領域２２において電気的な接触が確保されていると共に、導電性シート５０の他端部５２側の端面５２ａにおいても電気的な接触が確保されている。従って、発熱体２は電磁誘導によって確実に発熱することになり、内容物を安定して加熱することができる。また、発熱体２が容器内側に露出しているので、内容物を効率良く加熱することができる。しかも、二箇所の接着剤層２１（接着領域）によって重ね合わせ部２０の重ね合わせ状態が確実に維持される。更に、導電性シート５０の他端部５２側の端面５２ａに導電性シート５０の一端部５１側の内面が当接しているので、接着剤層２１が内側に露出せず、接着剤層２１と内容物との接触が防止される。尚、側壁部１１に筒状の発熱体２を備えた誘導加熱調理用容器において内容物を加熱する場合、電磁調理器としては、例えば誘導加熱調理用容器が挿入可能な凹部を備えていて、該凹部の壁面内部に誘導加熱調理用容器の側面を加熱するためのコイルを備え、凹部底面には誘導加熱調理用容器が載置されて回転する回転体を備えたものが好ましい。この凹部に誘導加熱調理用容器を入れて回転体を回転させることにより、回転体と共に誘導加熱調理用容器も回転することになり、誘導加熱調理用容器を回転させながらその内容物を誘導加熱調理用容器の側面から加熱することができる。
【００２３】
尚、本実施形態では、重ね合わせ部２０に接着剤層２１（接着領域）を二箇所設けたが、一箇所のみとしてもよい。例えば、図６のように、導電性シート５０の一端部５１の端縁側には接着剤層２１を設けずに、導電性シート５０の他端部５２の端縁側にのみ接着剤層２１を設けてもよい。導電性シート５０の一端部５１の端縁側に接着剤層２１を設けない場合でも、図６（ａ）のように、成形圧力によって導電性シート５０の一端部５１が他端部５２に押しつけられるので、導電性シート５０の一端部５１の内面が他端部５２の外面に接触し、接触領域２２によって電気的な接触が確保される。仮に、図６（ｂ）のように、導電性シート５０の一端部５１の端縁が他端部５２の外面から僅かに離間するような場合であっても、導電性シート５０の他端部５２側の端面５２ａに導電性シート５０の一端部５１側の内面が当接して電気的な接触が確保される。
【００２４】
また、上記実施形態では、導電性シート５０の一端部５１の内面を他端部５２の外面に重ね合わせて筒状に形成したが、導電性シート５０の両端部５１，５２の内面同士を重ね合わせてもよい。例えば、図７（ａ）のように、導電性シート５０の一端部５１の内面と他端部５２の外面にそれぞれ接着剤を塗布して接着剤層２１を形成する。これらの接着剤層２１は、何れも端縁に形成する。そして、図７（ａ）の矢印Ｙのように導電性シート５０の他端部５２側の所定領域を外面が内側となるように二つ折りにして接着剤層２１によって固定し、図７（ｂ）のように導電性シート５０の他端部５２側に二つ折り部２４を形成する。そして、図７（ａ）、（ｂ）の矢印Ｘのように導電性シート５０の一端部５１側を周回させて、他端部５２側の二つ折り部２４の外側に接着剤層２１によって貼り合わせる。そして、上述したのと同様にインサート成形によって図８のような誘導加熱調理用容器を形成する。図８に示しているように、誘導加熱調理用容器の発熱体２は、導電性シート５０の両端部５１，５２の内面同士が重ね合わせられると共に二つ折り部２４を備えた重ね合わせ部２０を有している。導電性シート５０の一端部５１の内面は二つ折り部２４の外側において電気的に接触すると共に、二つ折り部２４の折り返し部２４ａとも電気的に接触する。従って、電気的に接触している接触領域２２の面積が大きくなり、より一層安定した加熱が得られる。また、筒状の発熱体２の内周面から接着剤層２１が離れているので、内容物と接着剤層２１との接触もより一層確実に防止される。
【００２５】
尚、図９のように、二つ折り部２４における接着剤層２１を省略してもよい。但し、図８のように二つ折り部２４において接着剤層２１を設けることにより、二つ折り部２４の折り返し状態が確実に維持されるので、好ましい。
【００２６】
尚、導電性シート５０の両面あるいは片面を接触領域となる部分を除いて非導電性の被覆層で被覆してもよい。該被覆層は、導電性シート５０に接着剤を塗布することによって形成したり、導電性シート５０に各種の合成樹脂フィルムをドライラミネート等の各種のラミネート法で積層することによって形成したりする。尚、合成樹脂フィルムとしては例えばＣＰＰフィルムが使用できる。また、合成樹脂フィルムの厚さは、導電性シート５０よりも薄くすることが好ましく、例えば２０μｍ程度の厚さのものが好ましい。接着剤の塗布による被覆層も導電性シート５０よりも薄くすることが好ましく、例えば２０μｍ程度の厚さとする。
【００２７】
導電性シート５０の両面を被覆層で被覆する構成の一例としては、例えば図１０（ａ）のように導電性シート５０の一方の面にＣＰＰフィルムからなるフィルム６０を積層し、導電性シート５０の他方の面に接着剤層を形成することが挙げられる。フィルム６０は、導電性シート５０の一端部５１側の所定幅の領域を除いて導電性シート５０の一方の面の全領域に積層する。導電性シート５０の一方の面のうち一端部５１側の所定幅の領域はフィルム６０が積層されずに露出した状態の露出領域５３となる。接着剤層は、上述したのと同様のレトルトパウチ用のドライラミネート用接着剤を塗布することにより形成され、導電性シート５０の他端部５２側の端縁近傍に所定幅の露出領域５４を残すようにして導電性シート５０の他方の面の全領域に形成する。具体的には、導電性シート５０の他方の面における他端部５２側の端縁に細幅の接着剤層７０を形成し、該細幅の接着剤層７０の隣に露出領域５４を残し、該露出領域５４の端から導電性シート５０の一端部５１側の端縁までの部分に主接着剤層７１を形成する。即ち、主接着剤層７１の一端部７１ａは導電性シート５０の一端部５１側の端縁に位置し、主接着剤層７１の他端部７１ｂは露出領域５４の隣に位置する。尚、細幅の接着剤層７０は、図３に示した一方の接着剤層２１と同様である。
【００２８】
このような積層シートを図１０（ｂ）のようにフィルム６０が内側となるようにして筒状に形成して、導電性シート５０の他端部５２の外側に一端部５１を重ね合わせる。図１１（ａ）のように筒状に形成された発熱体２は、その重ね合わせ部２０の幅方向両端においてそれぞれ細幅の接着剤層７０と主接着剤層７１の他端部７１ｂを介して導電性シート５０同士が重ね合わせられた接着領域を備えることになる。また、両接着領域間には、導電性シート５０の一方の面の露出領域５３と他方の面の露出領域５４とが重ね合わせられて互いに接触する接触領域２２が形成され、該接触領域２２において電気的な接触が確保される。
【００２９】
その後、上述したのと同様にインサート成形によって発熱体２の外側に容器本体１を形成する。その際の成形圧力によって図１１（ｂ）のようにフィルム６０の一端部６０ａが導電性シート５０の他端部５２側の端面５２ａを覆うように内側に押されて移動し、フィルム６０の一端部６０ａと他端部６０ｂとの間の段差が解消され、フィルム６０の一端部６０ａは他端部６０ｂと略面一となって発熱体２の内周面及び容器の内周面となる。しかも、フィルム６０がＣＰＰフィルムから構成されてヒートシール性を備えているので、フィルム６０の一端部６０ａと他端部６０ｂとが成形時の熱で互いにヒートシールされて密着し、両者の間の隙間が密閉される。従って、内容物と細幅の接着剤層７０との接触が確実に防止され、それと同時に導電性シート５０の他端部５２側の端面５２ａへの内容物の接触も確実に防止される。即ち、筒状となった導電性シート５０はフィルム６０によって内側から完全に覆われることになり、導電性シート５０と内容物との接触が確実に防止される。従って、内容物の特性上、導電性シート５０との接触を防止したい場合、例えば、内容物の酸やアルカリによって導電性シート５０が腐食する可能性がある場合や、内容物の風味が落ちる可能性がある場合等において、特に効果が大きい。
【００３０】
一方、導電性シート５０の外周側はその略全体が主接着剤層７１を介して容器本体１と一体化することになり、主接着剤層７１によって容器本体１と発熱体２とが確実に密着する。
【００３１】
尚、導電性シート５０の他方の面にフィルム６１を積層してもよい。例えば、図１２のように、導電性シート５０の一方の面にフィルム６０を積層すると共に他方の面にもフィルム６１を積層する。尚、導電性シート５０の他方の面の他端部５２側には図３に示したのと同様に二本の接着剤層７２，７３を形成し、フィルム６１で導電性シート５０の他方の面の主要領域を被覆する。該フィルム６１の一端部６１ａは導電性シート５０の一端部５１側の端縁に位置し、フィルム６１の他端部６１ｂは接着剤層７３の隣に僅かに離間して位置する。そして、フィルム６０が内側となるようにして導電性シート５０の他端部５２の外側に一端部５１を重ね合わせて二本の接着剤層７２，７３によって接着して筒状とする。導電性シート５０の一方の面の露出領域５３と他方の面における両接着剤層７２，７３間の露出領域５４とが重ね合わせられて互いに接触することで接触領域２２が形成されて、連結部における電気的な接触が確保される。また、導電性シート５０の他方の面を被覆するフィルム６１は発熱体２の外周面となって容器本体１と密着する。従って、導電性シート５０の他方の面を被覆するフィルム６１には容器本体１とヒートシール可能な合成樹脂フィルムを使用することが好ましい。容器本体１をポリプロピレン系樹脂から構成する場合には特にＣＰＰフィルムが好ましい。このように導電性シート５０の他方の面を被覆するフィルム６１として容器本体１とヒートシール可能な合成樹脂フィルムを使用すれば、成形時の熱でフィルム６１と容器本体１とがヒートシールされる結果、発熱体２と容器本体１との間の良好な密着性が得られる。
【００３２】
尚、図１２では導電性シート５０の他方の面の他端部５２にフィルム６１とは別に接着剤を塗布することで接着層としての接着剤層７２，７３を形成して、該接着剤層７２，７３を介して導電性シート５０同士が重ね合わせられた接着領域を形成したが、導電性シート５０の他方の面の他端部５２に接着剤層７２，７３を形成せずに、ヒートシール可能なフィルム同士をヒートシールさせることによって接着層としてのヒートシール層を形成して、該ヒートシール層を介して導電性シート５０同士が重ね合わせられた接着領域を形成してもよい。
【００３３】
例えば、図１３のように、導電性シート５０の一方の面には、上述のフィルム６０を積層すると共に該フィルム６０の一端部６０ａとの間に露出領域５３を形成しつつ導電性シート５０の一端部５１側の端縁には細幅のフィルム６２を積層する。また、導電性シート５０の他方の面には、上述のフィルム６１を積層すると共に該フィルム６１の他端部６１ｂとの間に露出領域５４を形成しつつ導電性シート５０の他端部５２側の端縁には接着剤層７２に代えて細幅のフィルム６３を積層する。即ち、導電性シート５０の一方の面は露出領域５３を除いてフィルム６０，６２によって被覆され、導電性シート５０の他方の面は露出領域５４を除いてフィルム６１，６３によって被覆される。これらのフィルム６０，６１，６２，６３は互いにヒートシール可能であって、例えばＣＰＰフィルムから構成する。従って、フィルム６０が内側となるようにして筒状の発熱体２を形成すると、フィルム６１の他端部６１ｂの外側に細幅のフィルム６２がヒートシールされて接着領域が形成され、細幅のフィルム６３の外側にフィルム６０の一端部６０ａがヒートシールされて接着領域が形成され、両接着領域間には露出領域５３，５４同士が接触した接触領域２２が形成され、該接触領域２２により連結部における電気的な接触が確保される。
【００３４】
また、導電性シート５０の両面に被覆層を形成する場合においても図７乃至図９で示した構成と同様に導電性シート５０の片面同士（内面同士や外面同士）を重ね合わせて筒状にしてもよい。例えば、図１４（ａ）ように、導電性シート５０の一方の面の大部分にフィルム６０を積層すると共に一端部５１側の端縁には細幅の接着剤層７４を形成し、導電性シート５０の他方の面にはフィルム６１を積層してその両側には露出領域５４，５５をそれぞれ形成すると共に他端部５２側の端縁には細幅の接着剤層７５を形成する。そして、図１４（ｂ）のようにフィルム６１が内側となるようにして導電性シート５０の両端部５１，５２の内面同士を合掌張りに重ね合わせて接着剤層７５によって接着する。これにより両露出領域５４，５５同士が重なり合って接触して接触領域２２が形成される。その後更に、図１５（ａ）のように、導電性シート５０の一端部５１が二つ折りになるように重ね合わせ部２０を一端部５１側に折り曲げて導電性シート５０の一端部５１側に二つ折り部２４を形成する。但し、図７において示したように先に二つ折り部２４を形成してもよい。
【００３５】
その後、図１５（ｂ）のようにインサート成形によって発熱体２の外周側に容器本体１を形成して誘導加熱調理用容器を形成する。二つ折り部２４の折り返し部２４ａの全体あるいは大部分はフィルム６１の一端部６１ａによって被覆されており、その一端部６１ａにフィルム６１の他端部６１ｂが合掌張り状に重なり合い、成形時の熱によって互いにヒートシールされて密着し、フィルム６１の両端部６１ａ，６１ｂ間の隙間が密閉される。即ち、両露出領域５４，５５から形成された接触領域２２は、接着剤層７５と、フィルム６１の両端部６１ａ，６１ｂ同士がヒートシールされて形成されたヒートシール層との間に形成され、その接触領域２２に成形圧力も効果的に作用して、電気的な接触が確保される。また、フィルム６１の両端部６１ａ，６１ｂ同士がヒートシールされて隙間が密閉されるので、内容物と接着剤層７５との接触が確実に防止される。更に、筒状となった導電性シート５０はフィルム６１によって内側から完全に覆われることになり、導電性シート５０と内容物との接触が確実に防止される。従って、例えば、内容物の酸やアルカリによって導電性シート５０が腐食する可能性がある場合や、内容物の風味が落ちる可能性がある場合のように、内容物の特性上、導電性シート５０との接触を防止したい場合において特に効果が大きい。しかも、例えば図１１（ｂ）に示した構成ではフィルム６０の他端部６０ｂの端面が一端部６０ａと密着するのに対して、図１５（ｂ）の構成ではフィルム６１の両端部６１ａ，６１ｂの内面同士が所定幅で重なり合ってヒートシールされるので、ヒートシールされた領域の面積が大きく、従って、より一層確実な密閉状態が得られて導電性シート５０と内容物との接触が防止される。尚、導電性シート５０の外周側はその略全体がフィルム６０を介して容器本体１と一体化することになり、フィルム６０が容器本体１とヒートシールされることによって発熱体２と容器本体１とが確実に密着し一体化する。尚、この実施形態においても、例えばフィルム６０に代えて図１０のような主接着剤層としてもよく、また、接着剤層７４を形成せずに一方の面の全体にフィルム６０を積層してもよい。
【００３６】
また、容器本体１の形状も適宜設計変更可能であって、角筒状のものであってもよく、底の浅いタイプでもよい。
【００３７】
更に、調理に際して容器内に内容物を入れる以外に、予め容器内に内容物が入れられて蓋で容器が密封されたものであってもよい。
【００３８】
また、発熱体２が容器の内側に露出した構成としたが、発熱体２の一部のみが内側に露出してもよく、また、発熱体２が全く露出しない構成であってもよい。また、接着剤に代えてテープによって導電性シート５０の両端部５１，５２同士を連結したり、ヒートシールによって連結したりしてもよく、接着層としてのヒートシール層を介して導電性シート５０同士が重ね合わせられた接着領域を形成してもよい。何れにしても、導電性シート５０の両端部５１，５２同士が電気的に接触した状態で筒状に形成されていればよい。
【００３９】
また更に、容器本体１と発熱体２を接着剤等によって固定してもよい。
【符号の説明】
【００４０】
１    容器本体
２    発熱体
２ａ  上端面
２ｂ  下端面
１０    底部
１１    側壁部
１２    フランジ部
１３    脚部
１４    リブ
１５    段差部
１６    環状突起
２０    重ね合わせ部（連結部）
２１    接着剤層（接着層）
２２    接触領域
２４    二つ折り部
２４ａ  折り返し部
３０    コア
３１    キャビティ
５０    導電性シート
５１    一端部
５２    他端部
５２ａ  端面
５３    露出領域
５４    露出領域
５５    露出領域
６０    フィルム
６０ａ  一端部
６０ｂ  他端部
６１    フィルム
６１ａ  一端部
６１ｂ  他端部
６２    フィルム
６３    フィルム
７０    接着剤層（接着層）
７１    主接着剤層（接着層）
７１ａ  一端部
７１ｂ  他端部
７２    接着剤層（接着層）
７３    接着剤層（接着層）
７４    接着剤層
７５    接着剤層（接着層）
【図１】
0005942223.tif 000002
【図２】
0005942223.tif 000003
【図３】
0005942223.tif 000004
【図４】
0005942223.tif 000005
【図５】
0005942223.tif 000006
【図６】
0005942223.tif 000007
【図７】
0005942223.tif 000008
【図８】
0005942223.tif 000009
【図９】
0005942223.tif 000010
【図１０】
0005942223.tif 000011
【図１１】
0005942223.tif 000012
【図１２】
0005942223.tif 000013
【図１３】
0005942223.tif 000014
【図１４】
0005942223.tif 000015
【図１５】
0005942223.tif 000016